(57)【要約】【課題】高速データ通信サービスの通信速度が何らかの事情により低下し、高速データ通信サービスにおいてファクシミリデータが送受信不可能になった場合、公衆回線網において音声帯域における標準規格のファクシミリ通信でファクシミリ情報を送受信する事。情報量の比較的多くない文字データ等のみを選択して送信する事。必要最小限の情報を送信する事で、通信料金の節約。画像情報等の情報量が比較的多いデータは、高速データ通信サービスを行う対向の収容局に蓄積され、高速データ通信サービスの伝送速度が高速伝送に復旧した際に改めて送信する。【解決手段】高速データ通信手段、加入者線の音声帯域において標準規格のファクシミリ通信手段、高速データ通信サービス手段の対向する収容局は、インターネット網のアクセスポイントにファクシミリデータを転送する手段で構成する。【選択図】　　　　図１
2004015473.tif 000002
【特許請求の範囲】
【請求項１】
音声帯域において標準規格のファクシミリ通信と、前記音声帯域と異なる周波数帯域でインターネット網と高速データ通信の両方を同一の加入者線を用いて行うファクシミリ装置は、インターネット網を経由してファクシミリデータの送受信が可能なファクシミリ装置から送信されたファクシミリデータを前記高速データ通信手段とインターネット網のアクセスポイントのファクシミリゲートウェイと接続し、前記加入者線の音声帯域において標準規格のファクシミリ通信手段の両方で受信可能で、前記高速データ通信サービス手段の伝送が不可能時又は、標準規格のファクシミリ通信手段の伝送速度より低下した場合において、前記高速データ通信サービス手段の対向する収容局は、前記インターネット網のアクセスポイントのファクシミリゲートウェイに前記ファクシミリデータを転送し、前記加入者線の音声帯域において標準規格のファクシミリ通信手段で前記ファクシミリデータを受信する事を特徴とするインターネットファクシミリ装置。
【請求項２】
請求項１のインターネットファクシミリ装置において、前記高速データ通信サービス手段の伝送が不可能時又は、標準規格のファクシミリ通信手段の伝送速度より低下した場合において前記高速データ通信サービス手段の対向する収容局は、前記インターネット網のアクセスポイントのファクシミリゲートウェイに前記ファクシミリデータの比較的情報量が多くないデータのみを転送し、前記加入者線の音声帯域において標準規格のファクシミリ通信手段で前記ファクシミリデータを受信する事を特徴とするインターネットファクシミリ装置。
【請求項３】
請求項１のインターネットファクシミリ装置において、前記高速データ通信サービス手段の伝送が不可能時又は、標準規格のファクシミリ通信手段の伝送速度より低下した場合において前記高速データ通信サービス手段の対向する収容局は、前記インターネット網のアクセスポイントのファクシミリゲートウェイに前記ファクシミリデータの必要最小限の情報のみを転送し、前記加入者線の音声帯域において標準規格のファクシミリ通信手段で前記ファクシミリデータを受信する事を特徴とするインターネットファクシミリ装置。
【請求項４】
請求項２のインターネットファクシミリ装置において、前記高速データ通信サービス手段の対向する収容局は、前記ファクシミリデータを蓄積する手段を持ち、前記高速データ通信サービス手段の伝送速度が高速通信可能に復旧した場合、又は標準規格のファクシミリ通信手段の伝送速度を上回った場合、前記ファクシミリデータを蓄積する手段に蓄積された前記ファクシミリデータを前記高速データ通信サービスで受信する事を特徴とするインターネットファクシミリ装置。
【請求項５】
請求項１乃至４のいずれか１項に記載のインターネットファクシミリ装置における高速データ通信サービスはＡＤＳＬ伝送方式である事を特徴とするインターネットファクシミリ装置。
【発明の詳細な説明】
【０００１】
【発明の属する技術分野】
本発明は、インターネットファクシミリ装置に係り、特に音声帯域において標準規格のファクシミリ通信と音声帯域と異なる周波数帯域でインターネット網と高速データ通信の両方を同一の加入者線を用いて行うファクシミリ装置に関するものである。
【０００２】
（発明の背景）
音声帯域よりも高い周波数帯域で通信が行われる高速データ通信サービスは一般にデジタル加入者線伝送方式（ｘＤＳＬ）と呼ばれ、通常数百Ｋｂｐｓ〜数Ｍｂｐｓの速度で伝送が可能である。この方式は、従来のメタリックの加入者線である銅線ケーブル（メタリックケーブル）を用いて音声帯域よりも高い周波数帯域で通信を行うもので、音声帯域の通信機能（音声通信、ファクシミリ通信など）を損なうことなく高速のデータ通信を行うことができ、近年全世界で普及してきている。
【０００３】
しかしながら、この伝送方式は、従来の音声帯域の通信機能で利用していない高い周波数帯域を使用するため、銅線ケーブルの品質や対向する電話局から加入者までの距離、他の電話回線がＩＳＤＮを使用しているなどの状況によって、通信速度が変化する。つまり、通信速度が低下する場合が発生する為、この伝送方式は常に高速伝送を行えるとは限らない。
【０００４】
【従来の技術】
従来、ファクシミリデータを公衆回線網とインターネット網の両方を使い分けて通信する装置は考案されている。例えば、特開平１１−２０５５７３号公報である。これは、あらかじめ設定された条件（コスト重視、信頼性重視など）によりインターネット網か公衆回線網かを選択してファクシミリデータを通信するものである。さらに、特開平１１−２０５５７４号公報においては、最初にインターネット網と公衆回線網のどちらかを用いて通信を行い、正常に通信を終了できなかった場合において、自動的に他方の手段に切り換えてファクシミリデータを再送するようにしたものである。
【０００５】
また、公衆回線網のみを収容可能なファクシミリ装置においてインターネット網を介してファクシミリデータを送受信するサービスは、ＮＴＴコニュニケーションズ株式会社が提供している「テガルス」が有名である。
【０００６】
【発明が解決しようとする課題】
しかしながら、従来の装置及びサービスでは次のような欠点がある。
【０００７】
１．公衆回線網を用いて通信を行い、何らかのトラブルにより正常終了できない場合、特に遠距離の通信の場合はファクシミリ通信が正常に行われなかったにもかかわらず通信料金は請求されるので不経済である。
【０００８】
２．送信装置から受信装置までのすべての通信を公衆回線網を使用することは通信料金が高額になる。
【０００９】
３．従来のファクシミリ装置はインターネット網への接続はＬＡＮ接続が原則であり、システムが大規模になる為、経済的な負担が大きくなる。これにより、一般の家庭内においては導入が難しくなる。
【００１０】
そこで本発明は、このような問題を解決するためになされたもので、高速データ通信サービスの通信速度が何らかの事情により低下し、高速データ通信サービスにおいてファクシミリデータが送受信不可能になった場合、公衆回線網において音声帯域における標準規格のファクシミリ通信でファクシミリ情報を送受信する事を第一の目的とする。
【００１１】
さらに音声帯域における標準規格のファクシミリ通信においては、通信速度がさほど高速ではない為、情報量の比較的多くない文字データ等のみを選択して送信する事を第二の目的とする。さらに、ヘッダー部や、送信者情報などの必要最小限の情報を送信する事で、通信料金の節約を第三の目的とする。
【００１２】
また、この時文字データ以外の例えば画像情報等の情報量が比較的多いデータは、高速データ通信サービスを行う対向の収容局に蓄積され、高速データ通信サービスの伝送速度が高速伝送に復旧した際に改めて送信する事を第四の目的とする。
【００１３】
【課題を解決するための手段】
上記目的を達成するため、本出願に係る第一の発明は、音声帯域において標準規格のファクシミリ通信と、前記音声帯域と異なる周波数帯域でインターネット網と高速データ通信の両方を同一の加入者線を用いて行うファクシミリ装置は、インターネット網を経由してファクシミリデータの送受信が可能なファクシミリ装置から送信されたファクシミリデータを前記高速データ通信手段とインターネット網のアクセスポイントのファクシミリゲートウェイと接続し、前記加入者線の音声帯域において標準規格のファクシミリ通信手段を備えることを特徴とする。
【００１４】
上記構成において、前記高速データ通信サービス手段の伝送が不可能時又は、標準規格のファクシミリ通信手段の伝送速度より低下した場合において、前記高速データ通信サービス手段の対向する収容局は、前記インターネット網のアクセスポイントのファクシミリゲートウェイに前記ファクシミリデータを転送し、前記加入者線の音声帯域において標準規格のファクシミリ通信手段で前記ファクシミリデータを受信する様に動作する。
【００１５】
本出願に係る第二の発明は、インターネットファクシミリ装置において、前記高速データ通信サービス手段の伝送が不可能時又は、標準規格のファクシミリ通信手段の伝送速度より低下した場合において前記高速データ通信サービス手段の対向する収容局は、前記インターネット網のアクセスポイントのファクシミリゲートウェイに前記ファクシミリデータの比較的情報量が多くないデータのみを転送し、前記加入者線の音声帯域において標準規格のファクシミリ通信手段で前記ファクシミリデータを受信する様に動作する。
【００１６】
本出願に係る第三の発明は、インターネットファクシミリ装置において、前記高速データ通信サービス手段の伝送が不可能時又は、標準規格のファクシミリ通信手段の伝送速度より低下した場合において前記高速データ通信サービス手段の対向する収容局は、前記インターネット網のアクセスポイントのファクシミリゲートウェイに前記ファクシミリデータの必要最小限の情報のみを転送し、前記加入者線の音声帯域において標準規格のファクシミリ通信手段で前記ファクシミリデータを受信する様に動作する。
【００１７】
本出願に係る第四の発明は、インターネットファクシミリ装置において、前記高速データ通信サービス手段の対向する収容局は、前記ファクシミリデータを蓄積する手段を備える事を特徴とする。
【００１８】
上記構成において、前記高速データ通信サービス手段の伝送速度が高速通信可能に復旧した場合、又は標準規格のファクシミリ通信手段の伝送速度を上回った場合、前記ファクシミリデータを蓄積する手段に蓄積された前記ファクシミリデータを前記高速データ通信サービスで受信する様に動作する。
【００１９】
本出願に係る第五の発明は、インターネットファクシミリ装置はＡＤＳＬ伝送方式を備える事を特徴とする。
【００２０】
【発明の実施の形態】
（実施例）
本発明の実施例におけるインターネットファクシミリ装置（以下ＩＦＡＸ装置）において送信側のＩＦＡＸ装置からファクシミリデータを送信し、高速データ通信サービスの伝送速度が高速でない場合に、アクセスポイント経由で音声帯域のファクシミリ通信で文字データのみを送信し、高速データ通信サービスの伝送速度が高速伝送に復旧した時にファクシミリデータのすべてを送信する際の動作を図１〜５に基づき説明する。
【００２１】
図１は本発明の実施例におけるＩＦＡＸ装置の構成図である。図２は本発明の実施例における構成図である。図３は本発明の実施例におけるアクセスポイントの構成図である。図４は本発明の実施例における収容局の構成図である。図４は本発明の実施例における動作フロー図である。
【００２２】
図１において、１０１はこのＩＦＡＸ１０００の動作の制御を行う中央演算装置、１０２はファクシミリデータを送信する際にデータをスキャンするスキャナ、１０３は受信したファクシミリデータを印刷する印刷機、１０４は音声帯域のファクシミリデータの送受信を行うファクシミリモデム、１０５は高速データ通信の送受信を行うＤＭＴモデム、１０６は音声帯域のファクシミリデータや音声信号と高速データ通信で送受信されるファクシミリデータを分波するスプリッタ、１０７はインターネット網、公衆回線網などの網群、１０８はこのＩＦＡＸ装置の動作プログラムが格納されているＲＯＭ、１０９は動作する際のワーク用のＲＡＭ、１１０は発着信番号、通信状態などを表示するＬＣＤ、１１１は高速データ通信を用いてインターネット網に接続されている他のコンテンツサーバ（図示せず）にアクセスし、コンテンツのダウンロードなどが可能であるパソコンなどを接続する１０ＢＡＳＥ−Ｔインターフェース、１１２は１０ＢＡＳＥ−Ｔインターフェース１１１により接続されるパソコン等で構成される家庭内ＬＡＮ、１１３はＩＦＡＸ装置１０００と網群１０７を接続する加入者線、１１４は家庭内ＬＡＮの接続線である。
【００２３】
図２において、２００１はＩＦＡＸ装置１０００、家庭内ＬＡＮを構成するパソコン２０７を含む宅内、２００２は高速データ通信の対向の収容局、２００３は送信側のネットワークを表したもの、２００４はアクセスポイントである。さらに、２０１は公衆回線網、２０２はインターネット網、２０３は送信側のルータ、２０４は送信側のＩＦＡＸ装置、２０５は送信側のネットワークに接続されているパソコン、２０６は送信側のネットワークとインターネットを接続する専用線、２０８はインターネット網２０２と収容局２００２を接続する接続線、２０９は公衆回線網２０１と収容局２００２を接続する接続線、２１０は公衆回線網２０１とアクセスポイント２００４を接続する接続線、２１１はアクセスポイント２００４とインターネット網２０２を接続する接続線である。
【００２４】
図３はアクセスポイント２００４の構成図であり、３０１、３０２、３０３はファクシミリモデムであり、標準規格のファクシミリデータ（例えばＶ．３４など）に変換する。インターネット網を用いたファクシミリサービスを受ける顧客の数が増えればそれに見合った数を用意する必要がある。３０４はインターネット網から受信したインターネットプロトコルのファクシミリデータをファクシミリモデム３０１〜３０３の入力フォーマットに変換するゲートウェイ、３０５はインターネット網と接続するルータである。
【００２５】
図４は収容局２００２の構成図であり、４０１は音声帯域のファクシミリデータや音声信号と高速データ通信で送受信されるファクシミリデータを分波するスプリッタである。これは高速データ通信を使用する顧客の数だけ必要になる。４０４は複数の顧客からの高速データ通信のデータを多重化するＤＳＬＡＭ、４０５はスプリッタ４０１〜４０３で分波された音声周波数帯域の音声データやファクシミリデータを交換する交換機、４０６はスプリッタ４０１〜４０３で分波された高速データ通信のデータをインターネット網と送信し、さらにインターネット網からの高速データ通信のデータをＤＳＬＡＭに送信するルータである。
【００２６】
Ｓ５０１で動作を開始する。収容局２００２のＤＳＬＡＭにおいて定期的に宅内２００１のＩＦＡＸ装置１０００のＤＭＴモデム１０５に対してループバックテストを行い、高速データ通信の伝送速度を検出している（Ｓ５０２）。この時送信側のＩＦＡＸ装置２０４から宅内２００１のＩＦＡＸ装置１０００にインターネット網経由でファクシミリデータを送信動作に入る（Ｓ５０３）。Ｓ５０２で高速データ通信の伝送速度を検出し、高速データ通信可能であると判断した場合（Ｓ５０４のＹＥＳ）はファクシミリデータの送信経路は次のようになる。ＩＦＡＸ装置２０４から送信側ネットワークのルータ２０３から接続線２０６を介してインターネット網２０２に入る。さらに接続線２０８により収容局２００２のルータ４０６でデータを受信し、ＤＳＬＡＭ４０４に渡される。ＤＳＬＡＭ４０４は高速データ通信のフォーマットに基づきスプリッタ４０１、加入者線１１３を通り宅内２００１のＩＦＡＸ装置１０００のスプリッタ１０６で分波され、ＤＭＴモデム１０５で受信される（Ｓ５５１、Ｓ５５２）。受信したデータは一旦ＲＡＭ１０９に蓄積され中央演算装置１０１により印刷機１０３より印刷される（Ｓ５５３）。
【００２７】
次に高速データ通信の伝送速度が高速でないときの動作を説明する。この状態になるにはさまざまな原因が考えられるが、ここでは一例として宅内２００１のパソコン２０７がＩＦＡＸ装置１０００のＤＭＴモデム１０５を使用してインターネット網２０２に接続されているコンテンツサーバ（図示せず）に接続し、多大なコンテンツデータをダウンロードしている時を想定する。この時、収容局２００２のＤＳＬＡＭ４０４はループバックテストで高速データ通信が不可能と判断する（Ｓ５０４のＮＯ）。当然の事ながらこの時の伝送速度は標準規格のファクシミリ伝送の速度よりは低い時である。送信側ネットワーク２００３のＩＦＡＸ装置２０４から送信されたファクシミリデータは上述の如く収容局２００２のＤＳＬＡＭ４０４に送られる。しかし、高速データ通信は伝送速度が高速でない為一旦受信したファクシミリデータをＤＳＬＡＭ内のメモリに蓄積する（Ｓ５０５）。このファクシミリデータはルータ４０６、接続線２０８、インターネット網２０２、接続線２１１を通りアクセスポイント２００４のルータ３０５に転送される（Ｓ５０６）。標準規格のファクシミリ送受信は伝送速度が遅い為、転送されるファクシミリデータは比較的情報量の少ない（例えばテキストデータなど）データのみに限られる。
【００２８】
さらに、ゲートウェイ３０４経由でファクシミリモデム３０１に送信され、標準規格のファクシミリデータ（Ｖ．３４など）に変換され加入者線経由でＩＦＡＸ装置１０００に送られる（Ｓ５０７）。ＩＦＡＸ装置１０００はスプリッタ１０６で分波され、ファクシミリモデム１０４で標準化されたファクシミリデータを受信し、復調する（Ｓ５０８）。このような動作（本来は高速データ通信でＤＭＴモデムを用いてファクシミリ受信を行うべき所をアクセスポイント経由でＶ．３４などの標準のファクシミリ通信で受信した場合）でファクシミリデータを受信した場合は、ＬＣＤ１１０にその動作内容を表示して使用者に伝える（Ｓ５０９）。復調されたデータは中央演算装置１０１により一旦ＲＡＭ１０９に蓄積された後、印刷機１０３にて印刷される（Ｓ５１０）。
【００２９】
収容局２００２のＤＳＬＡＭ４０４は定期的なループバックテストの結果で、高速データ通信の伝送速度が高速伝送に復旧したと判断した場合（Ｓ５１１のＹＥＳ）は、ＤＳＬＡＭ４０４に蓄積された送信側のＩＦＡＸ装置２０４のファクシミリデータを高速データ通信で送信する（Ｓ５５１）。ＩＦＡＸ装置１０００のＤＭＴモデム１０５はファクシミリデータを受信する（Ｓ５５２）。これ以降の印刷までの動作は上述と同一である為省略する。
【００３０】
この動作により、インターネット網を用いたファクシミリ伝送において、高速データ通信サービスの伝送速度が低速になった場合、アクセスポイント経由で標準規格のファクシミリ通信でファクシミリデータを受信し、高速データ通信が復旧した際に受信すべきファクシミリデータのすべてを短時間に受信する事ができる。
【００３１】
【発明の効果】
以上説明したように、本出願の発明によれば、同一の加入者線を用いて、音声帯域において標準規格のファクシミリ通信を行い、音声帯域と異なる周波数帯域でインターネット網と高速データ通信を行うファクシミリ装置は、高速データ通信の伝送速度が低下した場合において音声帯域による標準規格のファクシミリ通信でインターネット網からのファクシミリデータを受信する事が出来るという効果がある。
【図面の簡単な説明】
【図１】本発明の実施例におけるインターネットファクシミリ装置の構成図
【図２】本発明の実施例における構成図
【図３】本発明の実施例におけるアクセスポイントの構成図
【図４】本発明の実施例における収容局の構成図
【図５】本発明の実施例における動作フロー図
【符号の説明】
１０００…ＩＦＡＸ装置
１０１…中央演算装置
１０２…スキャナ
１０３…印刷機
１０４…ファクシミリモデム
１０５…ＤＭＴモデム
１０６…スプリッタ
１０７…インターネット網、公衆回線網などの網群
１０８…ＲＯＭ
１０９…ＬＣＤ
１１１…１０ＢＡＳＥ−Ｔインターフェース
１１２…家庭内ＬＡＮ
１１３…加入者線
１１４…接続線
２００１…宅内
２００２…収容局
２００３…送信側のネットワーク
２００４…アクセスポイント
２０１…公衆回線網
２０２…インターネット網
２０３…送信側のルータ
２０４…送信側のＩＦＡＸ装置
２０５…パソコン
２０６…専用線
２０８…接続線
２０９…接続線
２１０…接続線
２１１…接続線
３０１、３０２、３０３…ファクシミリモデム
３０４…ゲートウェイ
３０５…ルータ
４０１…スプリッタ
４０４…ＤＳＬＡＭ
４０５…交換機
４０６…ルータ
【図１】
2004015473.tif 000003
【図２】
2004015473.tif 000004
【図３】
2004015473.tif 000005
【図４】
2004015473.tif 000006
【図５】
2004015473.tif 000007